(57)【要約】【課題】ユーザのタッチを認識できるタッチセンサ一体型表示装置を提供する。【解決手段】本発明のタッチセンサ一体型表示装置は、互いに交差するように形成される複数のゲートライン及び複数のデータラインと、前記複数のゲートラインとデータラインとの交差により画定される領域内に各々形成される複数のピクセル電極と、前記ピクセル電極と少なくとも一部分が重なるように形成され、前記データラインと並べて形成される複数の第１電極と、前記ゲートラインを間に置いて互いに隣接するピクセル電極の間で前記ゲートラインと並べて形成される複数の第２電極とを備え、前記データラインを間に置いて配置された複数の第１電極により形成される空間には、前記第２電極から延びる遮蔽部が形成されることを特徴とする。【選択図】図３
2015082112.tif 000002
【特許請求の範囲】
【請求項１】
互いに交差するように形成される複数のゲートライン及び複数のデータラインと、
前記複数のゲートラインとデータラインとの交差により画定される領域内に各々形成される複数のピクセル電極と、
前記ピクセル電極と少なくとも一部分が重なるように形成され、前記データラインと並べて形成される複数の第１電極と、
前記ゲートラインを間に置いて、互いに隣接するピクセル電極の間で前記ゲートラインと並べて形成される複数の第２電極と
を備え、
前記データラインを間に置いて配置された複数の第１電極により形成される空間には、前記第２電極から延びる遮蔽部が形成される
ことを特徴とするタッチセンサ一体型表示装置。
【請求項２】
第１基板上に並べて形成される前記複数のゲートラインを覆うように形成されるゲート絶縁膜と、
前記ゲート絶縁膜上に前記ゲートラインと交差するように形成される前記複数のデータラインと、
前記ゲートラインと前記データラインとの交差により画定される複数のピクセル領域内に各々形成される複数の薄膜トランジスタと、
前記複数の薄膜トランジスタをカバーする第１保護膜と、
前記第１保護膜上において前記データラインと並べて形成され、前記ゲートラインを間に置いた少なくとも２個のピクセル領域に形成される前記複数の第１電極と、
前記複数の第１電極を覆うように形成される第２保護膜と、
前記第２保護膜上において前記複数のピクセル領域内に各々形成され、前記第１電極と少なくとも一部分が重なるように形成される前記複数のピクセル電極と、
前記ゲートラインを間に置いて互いに隣接するピクセル電極の間で、前記第２保護膜上に形成され、前記ゲートラインの少なくとも一部分と重なるように並べて形成される前記複数の第２電極と
をさらに備えることを特徴とする請求項１に記載のタッチセンサ一体型表示装置。
【請求項３】
前記複数の第１電極は、共通電極とタッチ駆動電極の機能を兼ね、前記複数の第２電極は、タッチセンシング電極であることを特徴とする請求項１または２に記載のタッチセンサ一体型表示装置。
【請求項４】
前記複数の第１電極は、共通電極とタッチセンシング電極の機能を兼ね、前記複数の第２電極は、タッチ駆動電極であることを特徴とする請求項１または２に記載のタッチセンサ一体型表示装置。
【請求項５】
前記複数の第１電極の各々に前記第１電極の方向に沿って重なるように形成され、前記第１電極の抵抗を削減させる少なくとも一つの第１電極抵抗削減配線をさらに備えることを特徴とする請求項１または２に記載のタッチセンサ一体型表示装置。
【請求項６】
前記複数の第２電極の各々に前記第２電極の方向に沿って重なるように形成され、前記第２電極の抵抗を削減させる少なくとも一つの第２電極抵抗削減配線をさらに備えることを特徴とする請求項１または２に記載のタッチセンサ一体型表示装置。
【請求項７】
前記遮蔽部の各々に前記遮蔽部の方向に沿って重なるように形成され、前記遮蔽部の抵抗を削減させる少なくとも一つの遮蔽部抵抗削減配線をさらに備えることを特徴とする請求項１または２に記載のタッチセンサ一体型表示装置。
【請求項８】
互いに交差するように形成される複数のゲートラインと複数のデータラインと、
前記複数のゲートラインとデータラインとの交差により画定される領域内に各々形成される複数のピクセル電極と、
前記ゲートラインを間に置いて互いに隣接するピクセル電極の間で前記ゲートラインと並べて形成される複数の第１電極と、
前記ピクセル電極と少なくとも一部分が重なるように形成され、前記データラインと並べて形成される複数の第２電極と
を備え、
前記データラインを間に置いて配置された複数の第２電極により形成される空間には、前記第１電極から延びる遮蔽部が形成される
ことを特徴とするタッチセンサ一体型表示装置。
【請求項９】
第１基板上に並べて形成される前記複数のゲートラインを覆うように形成されるゲート絶縁膜と、
前記ゲート絶縁膜上に前記ゲートラインと交差するように形成される前記複数のデータラインと、
前記ゲートラインと前記データラインとの交差により画定される複数のピクセル領域内に各々形成される複数の薄膜トランジスタと、
前記複数の薄膜トランジスタをカバーする第１保護膜と、
前記第１保護膜上において前記複数のピクセル領域内に各々形成され、前記薄膜トランジスタに各々接続される前記複数のピクセル電極と、
前記ゲートラインを間に置いて互いに隣接するピクセル電極の間で、前記第１保護膜上に形成され、前記ゲートラインの少なくとも一部分と重なるように並べて形成される前記複数の第１電極と、
前記複数のピクセル電極と前記複数の第１電極とを覆うように形成される第２保護膜と、
前記第２保護膜上において前記ピクセル電極と少なくとも一部分が重なるように形成され、前記データラインと並べて形成され、前記ゲートラインを間に置いた少なくとも２個のピクセル領域に形成される前記複数の第２電極と
をさらに備えることを特徴とする請求項８に記載のタッチセンサ一体型表示装置。
【請求項１０】
前記複数の第１電極は、タッチ駆動電極であり、前記複数の第２電極は、共通電極とタッチセンシング電極の機能を兼ねる
ことを特徴とする請求項８または９に記載のタッチセンサ一体型表示装置。
【請求項１１】
前記複数の第１電極は、タッチセンシング電極であり、前記複数の第２電極は、共通電極とタッチ駆動電極の機能を兼ねる
ことを特徴とする請求項８または９に記載のタッチセンサ一体型表示装置。
【請求項１２】
前記複数の第１電極の各々に前記第１電極の方向に沿って重なるように形成され、前記第１電極の抵抗を削減させる少なくとも一つの第１電極抵抗削減配線をさらに備える
ことを特徴とする請求項８または９に記載のタッチセンサ一体型表示装置。
【請求項１３】
前記複数の第２電極の各々に前記第２電極の方向に沿って重なるように形成され、前記第２電極の抵抗を削減させる少なくとも一つの第２電極抵抗削減配線をさらに備える
ことを特徴とする請求項８または９に記載のタッチセンサ一体型表示装置。
【請求項１４】
前記遮蔽部の各々に前記遮蔽部の方向に沿って重なるように形成され、前記遮蔽部の抵抗を削減させる少なくとも一つの遮蔽部抵抗削減配線をさらに備える
ことを特徴とする請求項８または９に記載のタッチセンサ一体型表示装置
【発明の詳細な説明】
【技術分野】
【０００１】
本発明は、ユーザのタッチを認識できるタッチセンサ一体型表示装置に関する。
【背景技術】
【０００２】
最近、キーボード、マウス、トラックボール、ジョイスティック、デジタイザ（ｄｉｇｉｔｉｚｅｒ）などの多様な入力装置（ｉｎｐｕｔ  ｄｅｖｉｃｅ）がユーザと家電機器または各種情報通信機器との間のインタフェースを構成するために使用されている。しかしながら、上述したような入力装置を使用することは、使い方を身に付けなければならず、空間を占める等の不便を引き起こすという問題点があった。したがって、便利ながらも簡単でかつ誤作動を減少させうる入力装置に対する要求が増加しつつある。このような要求によってユーザが指やペン等で画面と直接接触して情報を入力するタッチセンサ（ｔｏｕｃｈ  ｓｅｎｓｏｒ）が提案された。
【０００３】
タッチセンサは、簡単でかつ誤作動が少なく、別の入力機器を使用しなくても入力が可能だけでなく、ユーザが画面に表示される内容を利用して迅速かつ容易に操作できるという便利性のため、多様な表示装置に採用されている。
【０００４】
タッチセンサは、構造によって上板付着型（ａｄｄ−ｏｎ  ｔｙｐｅ）と上板一体型（ｏｎ−ｃｅｌｌ  ｔｙｐｅ）とに分けられる。上板付着型は、表示装置とタッチセンサとが形成されたタッチパネルを個別的に製造した後に、表示装置の上板にタッチパネルを付着する方式である。上板一体型は、表示装置の上部ガラス基板の表面にタッチセンサを直接形成する方式である。
【０００５】
上板付着型は、表示装置上に完成されたタッチパネルが載置して装着される構造であって、厚さが厚く、表示装置の明るさが暗くなって視認性が低下するという問題がある。
【０００６】
一方、上板一体型の場合、表示装置の上面に別途のタッチセンサが形成された構造であって、上板付着型より厚さを減らすことができるが、依然としてタッチセンサを構成する駆動電極層とセンシング電極層及びこれらを絶縁させるための絶縁層のため、全体厚が増加し、工数が増加して、製造コストが増加するという問題点があった。
【０００７】
そのため、このような従来技術による問題点を解決できるという表示装置の必要性が台頭した。
【発明の概要】
【発明が解決しようとする課題】
【０００８】
本発明は、上述した従来の問題点を解消するためのものであって、表示装置のタッチを認識するためのタッチ駆動電極及びタッチセンシング電極を表示装置構成要素と兼用するようにすることによって、厚さを低減し、工数を減らすことができるタッチセンサ一体型表示装置を提供することを目的とする。
【０００９】
また、本発明は、タッチ駆動電極とタッチセンシング電極との間の相互静電容量を増加させることによって、向上したタッチ感度を有するタッチセンサ一体型表示装置を提供することを目的とする。
【課題を解決するための手段】
【００１０】
上記の目的を達成すべく、本発明の第１特徴によるタッチセンサ一体型表示装置は、互いに交差するように形成される複数のゲートライン及び複数のデータラインと、前記複数のゲートラインとデータラインとの交差により画定される領域内に各々形成される複数のピクセル電極と、前記ピクセル電極と少なくとも一部分が重なるように形成され、前記データラインと並べて形成される複数の第１電極と、前記ゲートラインを間に置いて互いに隣接するピクセル電極の間で前記ゲートラインと並べて形成される複数の第２電極とを備え、前記データラインを間に置いて配置された複数の第１電極により形成される空間には、前記第２電極から延びる遮蔽部が形成されることを特徴とする。
【００１１】
上記目的を達成すべく、本発明の第２特徴によるタッチセンサ一体型表示装置は、互いに交差するように形成される複数のゲートライン及び複数のデータラインと、前記複数のゲートラインとデータラインとの交差により画定される領域内に各々形成される複数のピクセル電極と、前記ゲートラインを間に置いて互いに隣接するピクセル電極の間で前記ゲートラインと並べて形成される複数の第１電極と、前記ピクセル電極と少なくとも一部分が重なるように形成され、前記データラインと並べて形成される複数の第２電極とを備え、前記データラインを間に置いて配置された複数の第２電極により形成される空間には、前記第１電極から延びる遮蔽部が形成されることを特徴とする。
【発明の効果】
【００１２】
本発明に係るタッチセンサ一体型表示装置によれば、表示装置の単位ピクセル電極、ゲートライン及びデータラインの設計に対応してタッチセンサを構成するタッチ駆動電極、タッチセンシング電極及び配線関係を容易に設計できる効果を得ることができる。
【００１３】
また、タッチ駆動電極とタッチセンシング電極とを単位ピクセル電極に基づいて形成すると、その数を顕著に増加させることができるから、これらの間の相互静電容量の増加によりタッチ感度を向上させうる効果を得ることができる。
【００１４】
また、分割された共通電極の間の空間にタッチ電極から延びる遮蔽部が配置されて、データラインと共通電極との間に形成される電界を遮断することによって、データラインと共通電極（または、ピクセル電極）との間に形成される電界により発生する液晶の挙動による光漏れを防止できるという効果を得ることができる。
【図面の簡単な説明】
【００１５】
【図１】本発明の第１の実施の形態に係るタッチセンサ一体型表示装置を概略的に示すブロック図である。
【図２】図１に示す表示装置を概略的に示す一部分解斜視図である。
【図３】本発明の第１の実施の形態に係るタッチセンサ一体型表示装置のタッチ駆動電極とタッチセンシング電極との関係を示す概略ブロック図である。
【図４Ａ】本発明の第１の実施の形態に係るタッチセンサ一体型表示装置の一部分を示す平面図である。
【図４Ｂ】図４Ａに示すＩ−Ｉ’線及びＩＩ−ＩＩ’線に沿う断面図である。
【図５】本発明の第２の実施の形態に係るタッチセンサ一体型表示装置を示す概略ブロック図である。
【図６】本発明の第２の実施の形態に係るタッチセンサ一体型表示装置のタッチ駆動電極とタッチセンシング電極との関係を示す概略ブロック図である。
【図７Ａ】本発明の第２の実施の形態に係るタッチセンサ一体型表示装置の一部分を示す平面図である。
【図７Ｂ】図７Ａに示すＩ−Ｉ’線及びＩＩ−ＩＩ’線に沿う断面図である。
【図８Ａ】本発明の第１及び第２の実施の形態の領域Ｒ１とＲ２に配置されるタッチ駆動電極またはタッチセンシング電極の多様な例を示す平面図である。
【図８Ｂ】本発明の第１及び第２の実施の形態の領域Ｒ１とＲ２に配置されるタッチ駆動電極またはタッチセンシング電極の多様な例を示す平面図である。
【図８Ｃ】本発明の第１及び第２の実施の形態の領域Ｒ１とＲ２に配置されるタッチ駆動電極またはタッチセンシング電極の多様な例を示す平面図である。
【図８Ｄ】本発明の第１及び第２の実施の形態の領域Ｒ１とＲ２に配置されるタッチ駆動電極またはタッチセンシング電極の多様な例を示す平面図である。
【発明を実施するための形態】
【００１６】
以下、添付図面を参照して、本発明に係る好ましい実施の形態を詳細に説明する。明細書全体にわたって同じ参照番号は、実質的に同じ構成要素を意味する。
【００１７】
まず、図１ないし図３を参照して、本発明の第１の実施の形態によるタッチセンサ一体型表示装置について説明する。図１は、本発明の第１の実施の形態に係るタッチセンサ一体型表示装置を概略的に示すブロック図、図２は、図１に示す表示装置を概略的に示す一部分解斜視図、図３は、図１に示す本発明の実施の形態に係るタッチセンサ一体型表示装置のタッチ駆動電極とタッチセンシング電極との関係を示す概略ブロック図である。
【００１８】
以下の説明では、タッチセンサ一体型表示装置の一例としてタッチセンサ一体型液晶表示装置を例に挙げて具体的に説明する。
【００１９】
図１及び図２に示すように、本発明の実施の形態に係るタッチセンサ一体型液晶表示装置は、液晶表示パネルＬＣＰ、ホストコントローラー１０、タイミングコントローラー１１、データ駆動部１２、ゲート駆動部１３、電源供給部１５、タッチ認識プロセッサ１７を備える。
【００２０】
液晶表示パネルＬＣＰは、液晶層（図示せず）を間に置いて形成されるカラーフィルターアレイＣＦＡと薄膜トランジスタアレイＴＦＴＡとを備える。
【００２１】
薄膜トランジスタアレイＴＦＴＡは、第１基板ＳＵＢ１上に第１方向（例えば、ｘ方向）に並べて形成された複数のゲートラインＧ１，Ｇ２，・・・，Ｇｍ、前記複数のゲートラインＧ１，Ｇ２，・・・，Ｇｍと互いに交差するように第２方向（例えば、ｙ方向）に並べて形成されたデータラインＤ１，Ｄ２，・・・，Ｄｎ、前記ゲートラインＧ１，Ｇ２，・・・，ＧｍとデータラインＤ１，Ｄ２，・・・，Ｄｎとが交差する領域に形成される薄膜トランジスタＴＦＴ、液晶セルにデータ電圧を充電させるための複数のピクセル電極Ｐｘ及び前記複数のピクセル電極Ｐｘと対向するように配置された共通電極ＣＯＭを備える。
【００２２】
カラーフィルターアレイＣＦＡは、第２基板ＳＵＢ２上に形成されるブラックマトリクスス及びカラーフィルター（図示せず）を備える。液晶表示パネルＬＣＰの第１基板ＳＵＢ１と第２基板ＳＵＢ２の外面には、それぞれ偏光板ＰＯＬ１、ＰＯＬ２が付着され、液晶と接する第１及び第２基板ＳＵＢ１、ＳＵＢ２の内面には、液晶のプレチルト角（ｐｒｅｔｉｌｔ  ａｎｇｌｅ）を設定するための配向膜（図示せず）がそれぞれ形成される。液晶表示パネルＬＣＰのカラーフィルターアレイＣＦＡと薄膜トランジスタアレイＴＦＴＡとの間には、液晶セルのセルギャップ（ｃｅｌｌ  ｇａｐ）を維持するためのカラムスペーサ（ｃｏｌｕｍｎ  ｓｐａｃｅｒ）が形成される。
【００２３】
バックライトユニット（図示せず）は、薄膜トランジスタアレイＴＦＴＡの下に配置される。バックライトユニットは、多数の光源を含み、薄膜トランジスタアレイＴＦＴＡとカラーフィルターアレイＣＦＡとに均一に光を照射する。バックライトユニットは、直下型（ｄｉｒｅｃｔ  ｔｙｐｅ）バックライトユニットまたはエッジ型（ｅｄｇｅ  ｔｙｐｅ）バックライトユニットにより具現化されることができる。バックライトユニットの光源は、ＨＣＦＬ（Ｈｏｔ  Ｃａｔｈｏｄｅ  Ｆｌｕｏｒｅｓｃｅｎｔ  Ｌａｍｐ）、ＣＣＦＬ（Ｃｏｌｄ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）、ＬＥＤ（Ｌｉｇｈｔ  Ｅｍｉｔｔｉｎｇ  Ｄｉｏｄｅ）のうちの何れか一つまたは二種類以上の光源を含む。
【００２４】
一方、共通電極ＣＯＭは、ＴＮ（Ｔｗｉｓｔｅｄ  Ｎｅｍａｔｉｃ）モードとＶＡ（Ｖｅｒｔｉｃａｌ  Ａｌｉｇｎｍｅｎｔ）モードのような垂直電界駆動方式で第２基板ＳＵＢ２に形成され、ＩＰＳ（Ｉｎ  Ｐｌａｎｅ  Ｓｗｉｔｃｈｉｎｇ）モードとＦＦＳ（Ｆｒｉｎｇｅ  Ｆｉｅｌｄ  Ｓｗｉｔｃｈｉｎｇ）モードのような水平電界駆動方式では、ピクセル電極Ｐｘと共に第１基板ＳＵＢ１上に形成される。以下の本発明の実施の形態の説明では、水平電界駆動方式を例に挙げて説明する。
【００２５】
図３は、本発明の第１の実施の形態に係るタッチセンサ一体型表示装置の共通電極兼用タッチ駆動電極とタッチセンシング電極との関係を概略的に示す平面図である。
【００２６】
図３に示すように、本発明の第１の実施の形態に係るタッチセンサ一体型表示装置の共通電極ＣＯＭは、第１方向（例えば、ｘ軸方向）と第２方向（例えば、ｙ軸方向）とに分割される複数の電極Ｔｘ１１，Ｔｘ１２，Ｔｘ２１，Ｔｘ２２，・・・，Ｔｘ８１，Ｔｘ８２からなる。これらの複数の電極のうち、ｙ軸方向には、互いに接続して複数の列を構成する電極は、タッチセンサを構成する複数のタッチ駆動電極Ｔｘ１１，Ｔｘ２１，・・・，Ｔｘ８１；Ｔｘ１２，Ｔｘ２２，・・・，Ｔｘ８２としての機能を兼ねる。
【００２７】
これをさらに具体的に説明すれば、複数のタッチ駆動電極Ｔｘ１１，Ｔｘ１２，Ｔｘ２１，Ｔｘ２２，・・・，Ｔｘ８１，Ｔｘ８２のうち、ｙ軸方向に接続した第１番目の列の第１タッチ駆動電極Ｔｘ１１，Ｔｘ２１，・・・，Ｔｘ８１は、隣接する第１タッチ駆動電極が少なくとも一つの接続部Ｔｃにより互いに接続されるように形成される。第１タッチ駆動電極Ｔｘ１１，Ｔｘ２１，・・・，Ｔｘ８１上には、抵抗削減のための第１抵抗削減配線ＴｘＷ１，ＴｘＷ２，ＴｘＷ３が形成される。ｙ軸方向に接続した第２番目の列の第２タッチ駆動電極Ｔｘ１２，Ｔｘ２２，・・・，Ｔｘ８２もまた少なくとも一つの接続部Ｔｃにより互いに接続されるように形成される。第２タッチ駆動電極Ｔｘ１２，Ｔｘ２２，・・・，Ｔｘ８２上にも抵抗削減のための第２抵抗削減配線ＴｘＷ４，ＴｘＷ５，ＴｘＷ６が形成される。第１及び第２抵抗削減配線ＴｘＷ１〜ＴｘＷ３，ＴｘＷ４〜ＴｘＷ６は、第１ルーチング配線ＴＬ１，ＴＬ２を介して電源部１５にそれぞれ接続される。
【００２８】
図３の実施の形態では、タッチ駆動電極が２個のタッチ駆動ラインからなる構成の例、すなわち、第１タッチ駆動電極Ｔｘ１１，Ｔｘ２１，・・・，Ｔｘ８１と第１抵抗削減配線ＴｘＷ１，ＴｘＷ２，ＴｘＷ３によりなる第１タッチ駆動ラインＴｘ１１，Ｔｘ２１，・・・，Ｔｘ８１，ＴｘＷ１，ＴｘＷ２，ＴｘＷ３と、第２タッチ駆動電極Ｔｘ１２，Ｔｘ２２，・・・，Ｔｘ８２と第２抵抗削減配線ＴｘＷ４，ＴｘＷ５，ＴｘＷ６からなる第２タッチ駆動ラインＴｘ１２，Ｔｘ２２，・・・，Ｔｘ８２，ＴｘＷ４，ＴｘＷ５，ＴｘＷ６の例を示している。
【００２９】
第１及び第２タッチ駆動電極Ｔｘ１１，Ｔｘ２１，・・・，Ｔｘ８１；Ｔｘ１２，Ｔｘ２２，・・・，Ｔｘ８２には、タッチ駆動時には、電源供給部１５を介してタッチ駆動電圧Ｖｔｓｐが供給され、ディスプレイ駆動時には、電源供給部１５を介して共通電圧Ｖｃｏｍが供給される。したがって、第１及び第２タッチ駆動電極Ｔｘ１１，Ｔｘ２１，・・・，Ｔｘ８１；Ｔｘ１２，Ｔｘ２２，・・・，Ｔｘ８２は、タッチ駆動電圧Ｖｔｓｐが印加される時には、タッチ駆動電極としての機能を果たし、共通電圧Ｖｃｏｍが印加される時には、共通電極としての機能を果たす。
【００３０】
上述した本発明の第１の実施の形態では、第１タッチ駆動ラインＴｘ１１，Ｔｘ２１，・・・，Ｔｘ８１，ＴｘＷ１，ＴｘＷ２，ＴｘＷ３を形成するために、３個の第１抵抗削減配線ＴｘＷ１，ＴｘＷ２，ＴｘＷ３が使用され、第２タッチ駆動ラインＴｘ１２，Ｔｘ２２，・・・，Ｔｘ８２，ＴｘＷ４，ＴｘＷ５，ＴｘＷ６を形成するために、３個の第２抵抗削減配線ＴｘＷ４，ＴｘＷ５，ＴｘＷ６が使用される場合を例に挙げたが、本発明がこれに限定されるものではない。例えば、各々のタッチ駆動ラインを形成するために、一つまたは二つの抵抗削減配線が利用されるか、４個またはそれ以上の抵抗削減配線が利用されても良い。
【００３１】
一方、タッチセンサを構成するタッチセンシング電極Ｒｘ１，Ｒｘ２，・・・，Ｒｘ８は、タッチ駆動電極Ｔｘ１１，Ｔｘ１２とＴｘ２１，Ｔｘ２２；Ｔｘ２１，Ｔｘ２２とＴｘ３１，Ｔｘ３２；Ｔｘ３１，Ｔｘ３２とＴｘ４１，Ｔｘ４２；Ｔｘ４１，Ｔｘ４２とＴｘ５１，Ｔｘ５２；Ｔｘ５１，Ｔｘ５２とＴｘ６１，Ｔｘ６２；Ｔｘ６１，Ｔｘ６２とＴｘ７１，Ｔｘ７２；Ｔｘ７１，Ｔｘ７２とＴｘ８１，Ｔｘ８２の間で第１及び第２抵抗削減配線ＴｘＷ１，ＴｘＷ２，ＴｘＷ３；ＴｘＷ４，ＴｘＷ５，ＴｘＷ６と交差するように第１方向（例えば、ｘ軸方向）に配列される。タッチセンシング電極Ｒｘ１，Ｒｘ２，・・・，Ｒｘ８のそれぞれは、分割された第１及び第２タッチ駆動電極Ｔｘ１１とＴｘ１２；Ｔｘ２１とＴｘ２２；Ｔｘ３１とＴｘ３２；Ｔｘ４１とＴｘ４２；Ｔｘ５１とＴｘ５２；Ｔｘ６１とＴｘ６２；Ｔｘ７１とＴｘ７２；Ｔｘ８１とＴｘ８２の間に延びる遮蔽部ＲｘＳ１をさらに備える。このような構成によって、隣接した第１タッチ駆動電極Ｔｘ１１，Ｔｘ２１，・・・，Ｔｘ８１と第２タッチ駆動電極Ｔｘ１２，Ｔｘ２２，・・・，Ｔｘ８２との間の空間には、タッチセンシング電極Ｒｘ１，Ｒｘ２，・・・，Ｒｘ８からそれぞれ延びる複数の遮蔽部ＲｘＳ１が配置される。
【００３２】
タッチセンシング電極Ｒｘ１，Ｒｘ２，・・・，Ｒｘ８にも抵抗削減のための抵抗削減配線ＲｘＷ１，ＲｘＷ２、…ＲｘＷ８がそれぞれ形成される。図３には、抵抗削減配線ＲｘＷ１，ＲｘＷ２，・・・，ＲｘＷ８が遮蔽部ＲｘＳ１には形成されないと示されているが、抵抗削減のためには、遮蔽部ＲｘＳ１にも抵抗削減配線がそれぞれ形成されることが好ましい。また、タッチセンシング電極Ｒｘ１，Ｒｘ２，・・・，Ｒｘ８は、互いに分離されているが、タッチセンシング電極とそれぞれ接触する第３ないし第６抵抗削減配線ＲｘＷ１〜ＲｘＷ４と第７ないし第１０抵抗削減配線ＲｘＷ５〜ＲｘＷ７により４個の単位でグループ化して第１タッチセンシングラインＲｘ１〜Ｒｘ４，ＲｘＷ１〜ＲｘＷ４と第２タッチセンシングラインＲｘ５〜Ｒｘ８，ＲｘＷ５〜ＲｘＷ８を構成する。第１タッチセンシングラインＲｘ１〜Ｒｘ４，ＲｘＷ１〜ＲｘＷ４及び第２タッチセンシングラインＲｘ５〜Ｒｘ８，ＲｘＷ５〜ＲｘＷ８は、第２ルーチング配線ＲＬ１，ＲＬ２を介してタッチ認識プロセッサ１７に接続される。
【００３３】
タッチセンシング電極Ｒｘ１〜Ｒｘ８は、タッチ認識プロセッサ１７に接続され、タッチ認識プロセッサ１７がタッチ前後の静電容量の変化を測定してタッチ位置を検出できるようにする。
【００３４】
本発明の第１の実施の形態によるタッチセンサは、上述したように第１及び第２タッチ駆動電極Ｔｘ１１，Ｔｘ２１，・・・，Ｔｘ８１；Ｔｘ１２，Ｔｘ２２，・・・，Ｔｘ８２とタッチセンシング電極Ｒｘ１，Ｒｘ２，・・・，Ｒｘ８とからなり、タッチ認識のための単位タッチ認識ブロックは、第１及び第２抵抗削減配線と第３及び第４抵抗削減配線を利用して、複数のタッチ駆動電極と複数のタッチセンシング電極を適切にグループ化して形成できる。図３に示す例では、８個のタッチセンシング電極Ｒｘ１〜Ｒｘ８と１６個のタッチ駆動電極Ｔｘ１１，Ｔｘ２１，・・・，Ｔｘ８１；Ｔｘ１２，Ｔｘ２２，・・・，Ｔｘ８２によりそれぞれ形成される４個の単位タッチ認識ブロックＴＵ１１，ＴＵ１２，ＴＵ２１，ＴＵ２２の例が示されている。
【００３５】
これをさらに具体的に説明すれば、第１タッチ認識ブロックＴＵ１１は、互いに接続された第１タッチ駆動電極Ｔｘ１１，Ｔｘ２１，Ｔｘ３１，Ｔｘ４１と第１タッチセンシング電極Ｒｘ１，Ｒｘ２，Ｒｘ３，Ｒｘ４により形成され、第２タッチ認識ブロックＴＵ１２は、互いに接続された第２タッチ駆動電極Ｔｘ１２，Ｔｘ２２，Ｔｘ３２，Ｔｘ４２と第１タッチセンシング電極Ｒｘ１，Ｒｘ２，Ｒｘ３，Ｒｘ４により形成され、第３タッチ認識ブロックＴＵ２１は、互いに接続された第３タッチ駆動電極Ｔｘ５１，Ｔｘ６１，Ｔｘ７１，Ｔｘ８１と第２タッチセンシング電極Ｒｘ５，Ｒｘ６，Ｒｘ７，Ｒｘ８により形成され、第４タッチ認識ブロックＴＵ２２は、互いに接続された第４タッチ駆動電極Ｔｘ５２，Ｔｘ６２，Ｔｘ７２，Ｔｘ８２と第２タッチセンシング電極Ｒｘ５，Ｒｘ６，Ｒｘ７，Ｒｘ８とにより形成される。
【００３６】
以上説明したタッチ駆動電極Ｔｘ１１，Ｔｘ２１，・・・，Ｔｘ８１；Ｔｘ１２，Ｔｘ２２，・・・，Ｔｘ８２は、全て共通電極ＣＯＭとしての機能を兼ねており、水平電界方式の表示装置において、これらは、ピクセル電極Ｐｘと共に薄膜トランジスタアレイＴＦＴＡの第１基板ＳＵＢ１に形成され、ピクセル電極Ｐｘは、ゲートラインＧ１〜ＧｍとデータラインＤ１〜Ｄｎとの交差により画定される領域に形成される。
【００３７】
一方、共通電極ＣＯＭとしての機能を兼ねるタッチ駆動電極Ｔｘ１１，Ｔｘ１２，Ｔｘ２１，Ｔｘ２２，・・・，Ｔｘ８１，Ｔｘ８２は、単位ピクセル電極（色を表示するために必要な複数のサブピクセル）と１：１に対応して形成されたり、またはタッチ駆動電極１個当りのｎ（ｎは、２以上の自然数）個の関係で形成される。
【００３８】
上述したように、本発明の第１の実施の形態によるタッチセンサ一体型表示装置において、タッチ駆動電極と単位ピクセル電極とは、１：１、または１：ｎの対応関係を有するように形成される。また、第１及び第２抵抗削減配線ＴｘＷ１，ＴｘＷ２，ＴｘＷ３；ＴｘＷ４，ＴｘＷ５，ＴｘＷ６は、データラインＤ１〜Ｄｎと１：１に対応して形成されるか、またはデータラインｎ個当たり一つの関係で形成される。また、タッチセンシング電極Ｒｘ１〜Ｒｘ８は、ゲートラインと１：１に対応して形成されるか、またはゲートラインｎ個当たり一つの関係で形成される。
【００３９】
従って、上述した本発明の第１の実施の形態によるタッチセンサ一体型表示装置の構成によれば、表示装置の単位ピクセル電極、ゲートライン及びデータラインの設計に対応してタッチセンサを構成するタッチ駆動電極、タッチセンシング電極及び配線関係を容易に設計できる効果を得ることができる。また、タッチ駆動電極とタッチセンシング電極とを単位ピクセル電極に基づいて形成すると、その数を顕著に増加させることができ、これらの間の相互静電容量の増加によりタッチ感度を向上させうる効果を得ることができる。また、分割された共通電極の間、すなわち第１及び第２タッチ駆動電極の間の空間にタッチセンシング電極から延びる遮蔽部が配置されて、データラインと共通電極（タッチ駆動電極）との間に形成される電界を遮断することによって、データラインと共通電極（または、ピクセル電極）との間に形成される電界により発生する液晶の挙動による光漏れを防止できる効果を得ることができる。
【００４０】
次に、図４Ａ及び図４Ｂを参照して、本発明の第１の実施の形態によるタッチセンサ一体型表示装置について、さらに具体的に説明する。
【００４１】
図４Ａ及び図４Ｂに示すように、本発明の第１の実施の形態によるタッチセンサ一体型表示装置は、薄膜トランジスタアレイＴＦＴＡの基板ＳＵＢ１上に互いに交差するように形成されるゲートラインＧＬ及びデータラインＤＬと、前記ゲートラインＧＬとデータラインＤＬとの交差領域に形成される薄膜トランジスタＴＦＴと、ゲートラインＧＬとデータラインＤＬとの交差により画定される領域に形成されるピクセル電極Ｐｘと、前記ピクセル電極Ｐｘと対向する共通電極ＣＯＭとを備える。本発明の第１の実施の形態では、共通電極ＣＯＭがタッチ駆動電極Ｔｘの機能を兼ねるので、以下の説明では、必要によって共通電極ＣＯＭ、タッチ駆動電極Ｔｘ、共通電極兼用タッチ駆動電極Ｔｘ、またはタッチ駆動電極兼用共通電極ＣＯＭと称することにする。
【００４２】
前記構成において、薄膜トランジスタＴＦＴは、ゲートラインＧＬから延びるゲート電極Ｇと、ゲートラインＧＬ及びゲート電極Ｇをカバーするゲート絶縁層ＧＩ上においてゲート電極Ｇと対応する領域に形成される活性層Ａと、活性層Ａをカバーする第１保護膜ＰＡＳ１上に形成されるデータラインＤＬと、このデータラインＤＬから延びるソース電極Ｓと、ソース電極Ｓと対向するように形成されるドレイン電極Ｄとを備える。
【００４３】
前記実施の形態において、薄膜トランジスタは、ゲート電極がソース／ドレイン電極の下層に形成されるゲートボトム構造（ｇａｔｅ  ｂｏｔｔｏｍ  ｓｔｒｕｃｔｒｕｅ）の薄膜トランジスタを例に挙げて説明しているが、本発明がこれに限定されるものではなく、ゲート電極がソース／ドレイン領域の上部に形成されるゲートトップ構造（ｇａｔｅ  ｔｏｐ  ｓｔｒｕｃｔｒｕｅ）の薄膜トランジスタも含むと理解しなければならない。ゲートトップ構造の薄膜トランジスタは、公知の構成であるから、それについての詳細な説明は省略する。
【００４４】
薄膜トランジスタＴＦＴとデータラインＤＬとをカバーする第１保護膜ＰＡＳ１上には、タッチ駆動電極Ｔｘの機能を兼ねる共通電極ＣＯＭが形成される。図４Ａ及び図４Ｂに示す実施の形態において、タッチ駆動電極Ｔｘは、３個のサブピクセルＰｘからなる単位ピクセルに対応して一つが形成される例を挙げているが、本発明がこれに限定されるものではない。例えば、単位ピクセルは、色の具現のために必要な赤色サブピクセル、緑色サブピクセル、青色サブピクセル、白色サブピクセルを含む４個のサブピクセルであっても良く、混合して色を具現できればその数に特に制限があるものではない。また、タッチ駆動電極Ｔｘは、ｎ個のサブピクセル当たり一つの関係またはｎ個の単位ピクセル当たり一つの関係を有するように形成されることもできる。
【００４５】
タッチ駆動電極Ｔｘ上には、タッチ駆動電極が接続する方向（ｙ軸方向）に第１及び第２抵抗削減配線（以下、駆動電極抵抗削減配線ＴｘＷとする）が形成されて、タッチ駆動電極Ｔ１１，Ｔ２１，・・・，，Ｔ８１；Ｔ１２，Ｔ２２，・・・，，Ｔ８２の抵抗を削減する。
【００４６】
駆動電極抵抗削減配線ＴｘＷとタッチ駆動電極Ｔｘとが形成された第１保護膜ＰＡＳ１の前面上には、第２保護膜ＰＡＳ２が形成され、ドレイン電極Ｄの一部分が露出するように第１保護膜ＰＡＳ１と第２保護膜ＰＡＳ２とを貫通する第１及び第２コンタクトホールＣＨ１、ＣＨ２が形成される。
【００４７】
第１及び第２コンタクトホールＣＨ１、ＣＨ２が形成された第２保護膜ＰＡＳ２上には、ゲートラインＧＬと並んだ方向（ｘ軸方向）に第３及び第４抵抗削減配線（以下、センシング電極抵抗削減配線ＲｘＷとする）が形成される。センシング電極抵抗削減配線ＲｘＷが形成された第２保護膜ＰＡＳ２上には、データラインＤＬとゲートラインＧＬとの交差により画定されるピクセル領域内に各々ピクセル電極Ｐｘが形成され、また、上下に互いに隣接するピクセル電極Ｐｘの間にセンシング電極抵抗削減配線ＲｘＷをカバーするようにゲートラインＧＬと平行にタッチセンシング電極Ｒｘが形成される。タッチセンシング電極Ｒｘは、分割されたタッチ駆動電極Ｔｘ、Ｔｘの間の空間に配置され、データラインＤＬと重なった状態でデータラインＤＬに沿って延びる遮蔽部ＲｘＳ１を備える。このような構成によって、遮蔽部ＲｘＳ１は、タッチ駆動電極Ｔｘと異なる層に形成されるが、ピクセル電極Ｐｘ、Ｐｘとは同じ層に隣接するピクセル電極Ｐｘ、Ｐｘ間に配置される。
【００４８】
本発明の第１の実施の形態に係るタッチセンサ一体型表示装置では、図４Ａ及び図４Ｂに示すように、第１保護層ＰＡＳ１上に形成されるタッチ駆動電極Ｔｘは、スリットがないように形成され、第２保護層ＰＡＳ２上に形成されるピクセル電極Ｐｘは、スリットＳＬを有するように形成される。
【００４９】
図４Ａ及び図４Ｂに示された実施の形態において、第１保護膜ＰＡＳ１上にタッチ駆動電極Ｔｘが形成され、第２保護膜ＰＡＳ２ＰＡＳ２上にはピクセル電極Ｐｘが形成されているが、本発明はこれに限定さされているわけではなく、例えば、第１保護膜ＰＡＳ１上にピクセル電極Ｐｘが形成され、第２保護膜ＰＡＳ２上にはタッチ駆動電極Ｔｘが形成されることもある。この場合、タッチ駆動電極Ｔｘは、スリットを有するように形成され、ピクセル電極Ｐｘは、スリットＳＬを有しないように形成することができる。
【００５０】
上述した構成では、データラインＤＬと重なる位置にタッチセンシング電極Ｒｘから延びる遮蔽部ＲｘＳ１が形成される。したがって、データラインＤＬとタッチ駆動電極（共通電極）Ｔｘとの間に形成される電界、またはデータラインＤＬとピクセル電極Ｐｘとの間に形成される電界が遮蔽部により遮蔽されて、ディスプレイ駆動時に液晶の挙動に影響を及ぼさないようになるので、分割された共通電極、すなわちタッチ駆動電極間の空間を通じて光が漏れる光漏れ現象を防止できる効果を得ることができる。
【００５１】
図１及び図２を再度参照すると、ゲート駆動部１３は、タイミングコントローラー１１の制御下でディスプレイモードにおいてゲートパルス（またはスキャンパルス）を順次出力し、その出力のスイング電圧をゲートハイ電圧ＶＧＨとゲートロー電圧ＶＧＬにシフトさせる。ゲート駆動部１３から出力されるゲートパルスは、データ駆動部１２から出力されるデータ電圧に同期してゲートラインＧ１〜Ｇｍに順次供給される。ゲートハイ電圧ＶＧＨは、薄膜トランジスタＴＦＴのしきい電圧以上の電圧であり、ゲートロー電圧ＶＧＬは、薄膜トランジスタＴＦＴのしきい電圧より低い電圧である。ゲート駆動部１３のゲート駆動ＩＣ（Ｉｎｔｅｇｒａｔｅｄ  Ｃｉｒｃｕｉｔ）は、ＴＡＰ（Ｔａｐｅ  Ａｕｔｏｍａｔｅｄ  Ｂｏｎｄｉｎｇ）工程により薄膜トランジスタアレイＴＦＴＡの第１基板ＳＵＢ１上に形成されたゲートラインＧ１〜Ｇｍに接続されたり、またはＧＩＰ（Ｇａｔｅ  Ｉｎ  Ｐａｎｅｌ）工程によりピクセルと共に薄膜トランジスタアレイＴＦＴＡの第１基板ＳＵＢ１上に直接形成されることができる。
【００５２】
データ駆動部１２は、タイミングコントローラー１１の制御下でデジタルビデオデータＲＧＢをサンプリングしラッチする。データ駆動部１２は、電源供給部１５から供給される正極性／負極性ガンマ補償電圧ＧＭＡ１〜ＧＭＡｎに基づいて、デジタルビデオデータＲＧＢのデータ電圧の極性を反転させて、正極性／負極性データ電圧を出力する。データ駆動部１２から出力される正極性／負極性データ電圧は、ゲート駆動部１３から出力されるゲートパルスに同期する。データ駆動部１２のソース駆動ＩＣのそれぞれは、ＣＯＧ（Ｃｈｉｐ  Ｏｎ  Ｇｌａｓｓ）工程またはＴＡＢ（Ｔａｐｅ  Ａｕｔｏｍａｔｅｄ  Ｂｏｎｄｉｎｇ）工程によりディスプレイ部のデータラインＤ１〜Ｄｎに接続される。ソース駆動ＩＣは、タイミングコントローラー１１内に集積されて、タイミングコントローラー１１と共にワンチップＩＣ（ｏｎｅ  ｃｈｉｐ  ＩＣ）により具現化されることができる。
【００５３】
タイミングコントローラー１１は、外部のホストコントローラー１０から供給される表示装置の駆動のために必要なタイミング信号を利用して、ゲート駆動部１３及びデータ駆動部１２の動作タイミングを制御するためのタイミング制御信号を発生する。ゲート駆動部１３及びデータ駆動部１２の動作タイミングを制御するためのタイミング制御信号は、ゲート駆動部１３の動作タイミングを制御するためのゲートタイミング制御信号と、データ駆動部１２の動作タイミングとデータ電圧の極性を制御するためのデータタイミング制御信号とを含む。
【００５４】
ゲートタイミング制御信号は、ゲートスタートパルス（Ｇａｔｅ  Ｓｔａｒｔ  Ｐｕｌｓｅ；ＧＳＰ）、ゲートシフトクロック（Ｇａｔｅ  Ｓｈｉｆｔ  Ｃｌｏｃｋ；ＧＳＣ）、ゲート出力イネーブル信号（Ｇａｔｅ  Ｏｕｔｐｕｔ  Ｅｎａｂｌｅ；ＧＯＥ）などを備える。ゲートスタートパルスＧＳＰは、ゲート駆動部１３から毎フレーム期間ごとに最も先にゲートパルスを出力する第１番目のゲート駆動ＩＣに印加されて、そのゲート駆動ＩＣのシフトスタートタイミングを制御する。ゲートシフトクロックＧＳＣは、ゲート駆動部１３のゲート駆動ＩＣに共通に入力されてゲートスタートパルスＧＳＰをシフトさせるためのクロック信号である。ゲート出力イネーブル信号ＧＯＥは、ゲート駆動部１３のゲート駆動ＩＣの出力タイミングを制御する。
【００５５】
データタイミング制御信号は、ソーススタートパルス（Ｓｏｕｒｃｅ  Ｓｔａｒｔ  Ｐｕｌｓｅ；ＳＳＰ）、ソースサンプリングクロック（Ｓｏｕｒｃｅ  Ｓａｍｐｌｉｎｇ  Ｃｌｏｃｋ；ＳＳＣ）、極性制御信号ＰＯＬａｒｉｔｙ：ＰＯＬ）、及びソース出力イネーブル信号（Ｓｏｕｒｃｅ  Ｏｕｔｐｕｔ  Ｅｎａｂｌｅ；ＳＯＥ）などを含む。ソーススタートパルスＳＳＰは、データ駆動部１２で最も先にデータをサンプリングする第１番目のソース駆動ＩＣに印加されて、データサンプリングスタートタイミングを制御する。ソースサンプリングクロックＳＳＣは、立ち上がりまたは立ち下がりエッジに基づいてソース駆動ＩＣ内でデータのサンプリングタイミングを制御するクロック信号である。極性制御信号ＰＯＬは、ソース駆動ＩＣから出力されるデータ電圧の極性を制御する。ソース出力イネーブル信号ＳＯＥは、ソース駆動ＩＣの出力タイミングを制御する。ｍｉｎｉ  ＬＶＤＳ（Ｌｏｗ  Ｖｏｌｔａｇｅ  Ｄｉｆｆｅｒｅｎｔｉａｌ  Ｓｉｇｎａｌｉｎｇ）インタフェースを介してデータ駆動部１２にデジタルビデオデータＲＧＢが入力されるならば、ソーススタートパルスＳＳＰとソースサンプリングクロックＳＳＣとは省略できる。
【００５６】
電源供給部１５は、ＰＷＭ（Ｐｕｌｓｅ  Ｗｉｄｔｈ  Ｍｏｄｕｌａｔｉｏｎ）変調回路、ブーストコンバーター（ｂｏｏｓｔ  ｃｏｎｖｅｒｔｅｒ）、レギュレーター（ｒｅｇｕｌａｔｏｒ）、チャージポンプ（ｃｈａｒｇｅ  ｐｕｍｐ）、分圧回路、演算増幅器（Ｏｐｅｒａｔｉｏｎ  Ａｍｐｌｉｆｉｅｒ）などを備えたＤＣ−ＤＣコンバーター（ＤＣ−ＤＣ  Ｃｏｎｖｅｒｔｅｒ）により具現化される。電源供給部１５は、ホストコントローラー１０からの入力電圧を調整して、液晶表示パネルＬＣＰ、データ駆動部１２、ゲート駆動部１３、タイミングコントローラー１１、バックライトユニット（図示せず）の駆動に必要な電源を発生させる。
【００５７】
電源供給部１５から出力される電源は、高電位電源電圧ＶＤＤ、ゲートハイ電圧ＶＧＨ、ゲートロー電圧ＶＧＬ、共通電圧Ｖｃｏｍ、正極性／負極性ガンマ基準電圧ＶＧＭＡ１〜ＶＧＭＡｎ、タッチ駆動電圧Ｖｔｓｐなどを備える。これらの電圧のうち、共通電圧Ｖｃｏｍは、ディスプレイ駆動時にホストコントローラー１０の制御下ですべての共通電極ＣＯＭに供給される。共通電圧Ｖｃｏｍは、タイミングコントローラー１１の制御下ですべての共通電極ＣＯＭに供給されるように構成することもできる。一方、タッチ駆動電圧Ｖｔｓｐは、タッチ駆動時にホストコントローラー１０の制御下で第１及び第２タッチ駆動電極Ｔ１１，Ｔ２１，・・・，Ｔ８１；Ｔ１２，Ｔ２２，・・・，Ｔ８２にそれぞれ供給される。タッチ駆動電圧Ｖｔｓｐは、タイミングコントローラー１１の制御下で第１及び第２タッチ駆動電極Ｔｘ１１，Ｔｘ２１，・・・，Ｔｘ８１；Ｔｘ１２，Ｔｘ２２，・・・，Ｔｘ８２に供給されるように構成することもできる。また、本発明の図１の実施の形態では、タッチ駆動電圧Ｖｔｓｐが電源供給部１５を介して第１及び第２タッチ駆動電極Ｔｘ１１，Ｔｘ２１，・・・，Ｔｘ８１；Ｔｘ１２，Ｔｘ２２，・・・，Ｔｘ８２に供給されると示されているが、本発明がこれに限定されるものではない。例えば、タッチ駆動電圧Ｖｔｓｐは、ホストコントローラー１０またはタイミングコントローラー１１により制御されるタッチ認識プロセッサ１７を介して第１及び第２タッチ駆動電極Ｔｘ１１，Ｔｘ２１，・・・，Ｔｘ８１；Ｔｘ１２，Ｔｘ２２，・・・，Ｔｘ８２に供給されることができる。
【００５８】
ホストコントローラー１０は、入力映像のデジタルビデオデータＲＧＢと、ディスプレイ駆動に必要なタイミング信号Ｖｓｙｎｃ、Ｈｓｙｎｃ、ＤＥ、ＭＣＬＫをＬＶＤＳインタフェース（Ｌｏｗ  Ｖｏｌｔａｇｅ  Ｄｉｆｆｅｒｅｎｃｅ  Ｓｉｇｎａｌｌｉｎｇ）、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）インタフェースなどのインタフェースを介してタイミングコントローラー１１に送信する。ホストコントローラー１０は、また液晶表示装置の画面に画像を表示するためのディスプレイ駆動時には、複数に分割された共通電極ＣＯＭに同じ共通電圧Ｖｃｏｍが供給されうるように制御信号Ｖｉｎを電源供給部１５に供給し、タッチ認識のためのタッチ駆動時には、タッチ駆動電極Ｔｘ１１，Ｔｘ２１，・・・，Ｔｘ８１；Ｔｘ１２，Ｔｘ２２，・・・，Ｔｘ８２にタッチ駆動電圧Ｖｔｓｐが供給されうるように制御信号Ｖｉｎを電源供給部１５に供給する。
【００５９】
タッチ認識プロセッサ１７は、第２ルーチング配線ＲＬ１，ＲＬ２を介して接続したタッチセンシング電極Ｒｘ１〜Ｒｘ８のそれぞれの初期静電容量の電圧とタッチ後のタッチ静電容量の電圧を差動増幅し、その結果をデジタルデータに変換する。そして、タッチ認識プロセッサ１７は、タッチ認識アルゴリズムを利用してタッチセンシング電極Ｒｘ１〜Ｒｘ８の初期静電容量とタッチ後に測定された静電容量との差に基づいて、タッチが行われたタッチ位置を判断し、そのタッチ位置を指示するタッチ座標データをホストコントローラー１０に出力する。
【００６０】
上述したように、本発明の実施の形態に係る第１及び第２タッチ駆動電極Ｔｘ１１，Ｔｘ２１，・・・，Ｔｘ８１；Ｔｘ１２，Ｔｘ２２，・・・，Ｔｘ８２は、ｙ軸方向にタッチ駆動ラインを形成し、タッチセンシング電極Ｒｘ１〜Ｒｘ８は、ｘ軸方向にタッチセンシングラインを形成するので、互いに交差する構成を有するようになる。したがって、表示装置にタッチが行なわれた場合、タッチセンシングラインとタッチ駆動ラインとの間に相互静電容量の変化が発生するようになり、これを測定して相互静電容量の変化が発生した位置を検出できるようになる。
【００６１】
特に、本発明の第１の実施の形態によるタッチセンサ一体型表示装置において、各タッチ駆動電極は、複数のサブピクセル電極または単位ピクセル電極に対応するように形成し、各タッチセンシング電極は、一つのゲートラインに対応するように形成すれば、タッチ駆動電極とタッチセンシング電極との数を増加させることができるので、これらの間の相互静電容量を増加させることができるから、タッチ感度を向上させることができるという効果を得ることができる。
【００６２】
また、単位タッチ認識ブロック（タッチ認識のための基本単位）は、駆動電極抵抗削減配線とセンシング電極抵抗削減配線を利用して、必要によって適切な大きさに調整することができるので、多様な単位タッチ認識ブロックを有する表示装置を容易に形成できるという利点もある。
【００６３】
また、データラインと重なる位置においてタッチセンシング電極から延びる遮蔽部が形成されて、分割された共通電極、すなわちタッチ駆動電極間の空間を介して光が漏れる光漏れ現象を防止できるという効果を得ることができる。
【００６４】
以上の本発明の第１の実施の形態によるタッチセンサ一体型表示装置では、共通電極ＣＯＭがタッチ駆動電極Ｔｘとして機能する場合を例に挙げて説明したが、共通電極ＣＯＭを電源部１５に接続してディスプレイ駆動時に共通電圧を供給し、タッチ駆動時にタッチ認識プロセッサ１７に接続してタッチセンシングが行われるようにすると、タッチセンシング電極Ｒｘとして機能するように構成することもできる。
【００６５】
次に、図５及び図６を参照して、本発明の第２の実施の形態によるタッチセンサ一体型表示装置について説明する。図５は、本発明の第２の実施の形態に係るタッチセンサ一体型表示装置を示す概略ブロック図であり、図６は、本発明の第２の実施の形態に係るタッチセンサ一体型表示装置のタッチ駆動電極とタッチセンシング電極との関係を示す概略ブロック図である。
【００６６】
図５及び図６に示すように、本発明の第２の実施の形態に係るタッチセンサ一体型液晶表示装置は、液晶表示パネルＬＣＰ、ホストコントローラー１０、タイミングコントローラー１１、データ駆動部１２、ゲート駆動部１３、電源供給部１５、タッチ認識プロセッサ１７を備える。
【００６７】
本発明の第２の実施の形態に係るタッチセンサ一体型液晶表示装置において、液晶表示パネルＬＣＰに対する一般的な事項と、ディスプレイ駆動及びタッチ駆動のためのホストコントローラー１０、タイミングコントローラー１１、データ駆動部１２、ゲート駆動部１３、電源供給部１５、タッチ認識プロセッサ１７に対する機能は、本発明の第１の実施の形態に係るタッチセンサ一体型液晶表示装置と同一なので、それについての説明は省略する。
【００６８】
本発明の第２の実施の形態に係るタッチセンサ一体型表示装置の共通電極ＣＯＭは、第１方向（例えば、ｘ軸方向）と第２方向（例えば、ｙ軸方向）に分割される複数の電極Ｒｘ１１，Ｒｘ１２，Ｒｘ２１，Ｒｘ２２，・・・，Ｒｘ８１，Ｒｘ８２からなる。これらの複数の電極のうち、ｙ軸方向には互いに接続されて複数の列を構成する電極は、タッチセンサを構成する複数のタッチセンシング電極Ｒｘ１１，Ｒｘ１２，Ｒｘ２１，Ｒｘ２２，・・・，Ｒｘ８１，Ｒｘ８２としての機能を兼ねる。
【００６９】
これをさらに具体的に説明すれば、複数のタッチセンシング電極Ｒｘ１１，Ｒｘ１２，Ｒｘ２１，Ｒｘ２２，・・・，Ｒｘ８１，Ｒｘ８２のうち、ｙ軸方向に接続された第１番目の列の第１タッチセンシング電極Ｒｘ１１，Ｒｘ２１，・・・，Ｒｘ８１は、隣接する第１タッチセンシング電極が少なくとも一つの接続部Ｒｃにより互いに接続されるように形成される。第１タッチセンシング電極Ｒｘ１１，Ｒｘ２１，・・・，Ｒｘ８１には、抵抗削減のための第１抵抗削減配線ＲｘＷ１，ＲｘＷ２，ＲｘＷ３が形成される。ｙ軸方向に接続された第２番目の列の第２タッチセンシング電極Ｒｘ１２，Ｒｘ２２，・・・，Ｒｘ８２もまた、少なくとも一つの接続部Ｔｃにより互いに接続されるように形成される。第２タッチセンシング電極Ｒｘ１２，Ｒｘ２２，・・・，Ｒｘ８２にも抵抗削減のための第２抵抗削減配線ＲｘＷ４，ＲｘＷ５，ＲｘＷ６が形成される。第１及び第２抵抗削減配線ＲｘＷ１〜ＲｘＷ３，ＲｘＷ４〜ＲｘＷ６は、第１ルーチング配線ＲＬ１，ＲＬ２を介して電源供給部１５とタッチ認識プロセッサ１７とにそれぞれ接続される。
【００７０】
図６の第２の実施の形態では、タッチセンシング電極が２個のタッチセンシングラインからなる構成の例、すなわち、第１タッチセンシング電極Ｒｘ１１，Ｒｘ２１，・・・，Ｅｘ８１と第１抵抗削減配線ＲｘＷ１，ＲｘＷ２，ＲｘＷ３とからなる第１タッチセンシングラインＲｘ１１，Ｒｘ２１，・・・，Ｒｘ８１，ＲｘＷ１，ＲｘＷ２，ＲｘＷ３と、第２タッチセンシング電極Ｒｘ１２，Ｒｘ２２，・・・，Ｒｘ８２と第２抵抗削減配線ＲｘＷ４，ＲｘＷ５，ＲｘＷ６とからなる第２タッチセンシングラインＲｘ１２，Ｒｘ２２，・・・，Ｒｘ８２，ＲｘＷ４，ＲｘＷ５，ＲｘＷ６の例を示している。
【００７１】
第１及び第２タッチセンシング電極Ｒｘ１１，Ｒｘ２１，・・・，Ｒｘ８１；Ｒｘ１２，Ｒｘ２２，・・・，Ｒｘ８２には、ディスプレイ駆動時には、電源供給部１５を介して共通電圧Ｖｃｏｍが供給され、タッチ駆動時には、タッチ認識プロセッサ１７に接続されて第１及び第２タッチセンシング電極Ｒｘ１１，Ｒｘ２１，・・・，Ｒｘ８１；Ｒｘ１２，Ｒｘ２２，・・・，Ｒｘ８２から受信されたセンシング電圧をタッチ認識プロセッサ１７に供給する。したがって、第１及び第２タッチセンシング電極Ｒｘ１１，Ｒｘ２１，・・・，Ｒｘ８１；Ｒｘ１２，Ｒｘ２２，・・・，Ｒｘ８２は、タッチ駆動時には、タッチセンシング電極としての機能を果たす。
【００７２】
上述した本発明の第２の実施の形態では、第１タッチセンシングラインＲｘ１１，Ｒｘ２１，・・・，Ｒｘ８１，ＲｘＷ１，ＲｘＷ２，ＲｘＷ３を形成するために、３個の第１抵抗削減配線ＲｘＷ１，ＲｘＷ２，ＲｘＷ３が使用され、第２タッチセンシングラインＲｘ１２，Ｒｘ２２，・・・，Ｒｘ８２，ＲｘＷ４，ＲｘＷ５，ＲｘＷ６を形成するために、３個の第２抵抗削減配線ＲｘＷ４，ＲｘＷ５，ＲｘＷ６が使用される場合を例に挙げたが、本発明がこれに限定されるものではない。例えば、各々のセンシングラインを形成するために、一つまたは二つの抵抗削減配線が利用されるか、または４個またはそれ以上の抵抗削減配線が利用されても良い。
【００７３】
一方、タッチセンサを構成するタッチ駆動電極Ｔｘ１，Ｔｘ２，・・・，Ｔｘ８は、タッチセンシング電極Ｒｘ１１，Ｒｘ１２とＲｘ２１，Ｒｘ２２；Ｒｘ２１，Ｒｘ２２とＲｘ３１，Ｒｘ３２；Ｒｘ３１，Ｒｘ３２とＲｘ４１，Ｒｘ４２；Ｒｘ４１，Ｒｘ４２とＲｘ５１，Ｒｘ５２；Ｒｘ５１，Ｒｘ５２とＲｘ６１，Ｒｘ６２；Ｒｘ６１，Ｒｘ６２とＲｘ７１，Ｒｘ７２；Ｒｘ７１，Ｒｘ７２とＲｘ８１，Ｒｘ８２の間で第１及び第２抵抗削減配線ＲｘＷ１，ＲｘＷ２，ＲｘＷ３；ＲｘＷ４，ＲｘＷ５，ＲｘＷ６と交差するように第１方向（例えば、ｘ軸方向）に配列される。タッチ駆動電極Ｔｘ１，Ｔｘ２，・・・，Ｔｘ８のそれぞれは、分割された第１及び第２タッチセンシング電極Ｒｘ１１とＲｘ１２；Ｒｘ２１とＲｘ２２；Ｒｘ３１とＲｘ３２；Ｒｘ４１とＲｘ４２；Ｒｘ５１とＲｘ５２；Ｒｘ６１とＲｘ６２；Ｒｘ７１とＲｘ７２；Ｒｘ８１とＲｘ８２の間に延びる遮蔽部ＴｘＳ１をさらに備える。このような構成によって、隣接した第１タッチセンシング電極Ｒｘ１１，Ｒｘ２１，・・・，Ｒｘ８１と第２タッチセンシング電極Ｒｘ１２，Ｒｘ２２，・・・，Ｒｘ８２との間の空間には、タッチ駆動電極Ｔｘ１，Ｔｘ２，・・・，Ｔｘ８からそれぞれ延びる複数の遮蔽部ＴｘＳ１が配置される。
【００７４】
タッチ駆動電極Ｔｘ１，Ｔｘ２，・・・，Ｔｘ８にも抵抗削減のための抵抗削減配線ＴｘＷ１，ＴｘＷ２、…ＴｘＷ８がそれぞれ形成される。図６には、抵抗削減配線ＴｘＷ１，ＴｘＷ２，・・・，ＴｘＷ８が遮蔽部ＴｘＳ１には形成されないと示されているが、抵抗削減のためには、遮蔽部ＴｘＳ１にも抵抗削減配線がそれぞれ形成されることが好ましい。また、タッチ駆動電極Ｔｘ１，Ｔｘ２，・・・，Ｔｘ８は、互いに分離されているが、タッチ駆動電極とそれぞれ接触する第３ないし第６抵抗削減配線ＴｘＷ１〜ＴｘＷ４と第７ないし第１０抵抗削減配線ＴｘＷ５〜ＴｘＷ８とにより４個の単位でグループ化して、第１タッチ駆動ラインＴｘ１〜Ｔｘ４，ＴｘＷ１〜ＴｘＷ４と第２タッチ駆動ラインＴｘ５〜Ｔ８，ＴｘＷ５〜ＴｘＷ８とを構成する。第１タッチ駆動ラインＴｘ１〜Ｔｘ４，ＴｘＷ１〜ＴｘＷ４及び第２タッチ駆動ラインＴｘ５〜Ｔｘ８，ＴｘＷ５〜ＴｘＷ８は、第２ルーチング配線ＴＬ１，ＴＬ２を介して電源供給部１５に接続されてタッチ駆動電圧Ｖｔｓｐの供給を受ける。
【００７５】
本発明の第２の実施の形態によるタッチセンサは、上述したように第１及び第２タッチセンシング電極Ｒｘ１１，Ｒｘ２１，・・・，Ｒｘ８１；Ｒｘ１２，Ｒｘ２２，・・・，Ｒｘ８２とタッチ駆動電極Ｔｘ１，Ｔｘ２，・・・，Ｔｘ８とからなり、タッチ認識のための単位タッチ認識ブロックは、第１及び第２抵抗削減配線と第３及び第４抵抗削減配線とを利用して、複数のタッチセンシング電極と複数のタッチ駆動電極を適切にグループ化して形成できる。図８に示す例では、８個のタッチ駆動電極Ｔｘ１〜Ｔｘ８と１６個のタッチセンシング電極Ｒｘ１１，Ｒｘ２１，・・・，Ｒｘ８１；Ｒｘ１２，Ｒｘ２２，・・・，Ｒｘ８２によりそれぞれ形成される４個の単位タッチ認識ブロックＴＵ１１，ＴＵ１２，ＴＵ２１，ＴＵ２２の例が示されている。
【００７６】
これをさらに具体的に説明すれば、第１タッチ認識ブロックＴＵ１１は、互いに接続した第１タッチセンシング電極Ｒｘ１１，Ｒｘ２１，Ｒｘ３１，Ｒｘ４１と第１タッチ駆動電極Ｔｘ１，Ｔｘ２，Ｔｘ３，Ｔｘ４とにより形成され、第２タッチ認識ブロックＴＵ１２は、互いに接続した第２タッチセンシング電極Ｒｘ１２，Ｒｘ２２，Ｒｘ３２，Ｒｘ４２と第１タッチ駆動電極Ｔｘ１，Ｔｘ２，Ｔｘ３，Ｔｘ４とにより形成され、第３タッチ認識ブロックＴＵ２１は、互いに接続した第３タッチセンシング電極Ｒｘ５１，Ｒｘ６１，Ｒｘ７１，Ｒｘ８１と第２タッチ駆動電極Ｔｘ５，Ｔｘ６，Ｔｘ７，Ｔｘ８とにより形成され、第４タッチ認識ブロックＴＵ２２は、互いに接続した第４タッチセンシング電極Ｒｘ５２，Ｒｘ６２，Ｒｘ７２，Ｒｘ８２と第２タッチ駆動電極Ｔｘ５，Ｔｘ６，Ｔｘ７，Ｔｘ８とにより形成される。
【００７７】
以上説明したタッチセンシング電極Ｒｘ１１，Ｒｘ２１，・・・，Ｒｘ８１；Ｒｘ１２，Ｒｘ２２，・・・，Ｒｘ８２は、すべて共通電極ＣＯＭとしての機能を兼ねており、水平電界方式の表示装置において、これらは、ピクセル電極Ｐｘと共に薄膜トランジスタアレイＴＦＴＡの第１基板ＳＵＢ１に形成され、ピクセル電極Ｐｘは、ゲートラインＧ１〜ＧｍとデータラインＤ１〜Ｄｎとの交差により画定される領域に形成される。
【００７８】
一方、共通電極ＣＯＭとしての機能を兼ねるタッチセンシング電極Ｒｘ１１，Ｒｘ１２，Ｒｘ２１，Ｒｘ２２，・・・，Ｒｘ８１，Ｒｘ８２は、単位ピクセル電極（色を表示するために必要な複数のサブピクセル）と１：１対応して形成されるか、またはタッチセンシング電極１個当りｎ（ｎは、２以上の自然数）個の関係で形成されることができる。
【００７９】
上述したように、本発明の第２の実施の形態によるタッチセンサ一体型表示装置において、タッチセンシング電極と単位ピクセル電極とは、１：１または１：ｎの対応関係を有するように形成される。また、第１及び第２抵抗削減配線ＴｘＷ１，ＴｘＷ２，ＴｘＷ３；ＴｘＷ４，ＴｘＷ５，ＴｘＷ６は、データラインＤ１〜Ｄｎと１：１に対応して形成されるか、またはデータラインｎ個当たり一つの関係で形成される。また、タッチ駆動電極Ｔｘ１〜Ｔｘ８は、ゲートラインと１：１に対応して形成されるか、またはゲートラインｎ個当たり一つの関係で形成される。
【００８０】
従って、上述した本発明の第２の実施の形態によるタッチセンサ一体型表示装置の構成によれば、表示装置の単位ピクセル電極、ゲートライン及びデータラインの設計に対応してタッチセンサを構成するタッチ駆動電極、タッチセンシング電極及び配線を容易に設計できる効果を得ることができる。
【００８１】
また、タッチ駆動電極とタッチセンシング電極とを単位ピクセル電極に基づいて形成すると、その数を顕著に増加させることができるから、これらの間の相互静電容量の増加によりタッチ感度を向上させうる効果を得ることができる。
【００８２】
また、分割された共通電極の間、すなわち第１及び第２タッチセンシング電極間の空間にタッチ駆動電極から延びる遮蔽部が配置されて、データラインと共通電極（タッチセンシング電極）との間に形成される電界を遮断することによって、データラインと共通電極（または、ピクセル電極）との間に形成される電界により発生する液晶の挙動による光漏れを防止できる効果を得ることができる。
【００８３】
次に、図７Ａ及び図７Ｂを参照して、本発明の第２の実施の形態によるタッチセンサ一体型表示装置について、さらに具体的に説明する。
【００８４】
図９Ａ及び図９Ｂに示すように、本発明の第２の実施の形態によるタッチセンサ一体型表示装置は、薄膜トランジスタアレイＴＦＴＡの基板ＳＵＢ１上に互いに交差するように形成されるゲートラインＧＬ及びデータラインＤＬと、前記ゲートラインＧＬとデータラインＤＬとの交差領域に形成される薄膜トランジスタＴＦＴと、ゲートラインＧＬとデータラインＤＬとの交差により画定される領域に形成されるピクセル電極Ｐｘと、前記ピクセル電極Ｐｘと対向する共通電極ＣＯＭとを備える。本発明の第２の実施の形態では、共通電極ＣＯＭがタッチセンシング電極Ｒｘの機能を兼ねるので、以下の説明では、必要によって共通電極ＣＯＭ、タッチセンシング電極Ｒｘ、共通電極兼用タッチセンシング電極Ｒｘ、またはタッチセンシング電極兼用共通電極ＣＯＭと称することにする。
【００８５】
前記構成において、薄膜トランジスタＴＦＴは、ゲートラインＧＬから延びるゲート電極Ｇと、ゲートラインＧＬ及びゲート電極Ｇをカバーするゲート絶縁層ＧＩ上においてゲート電極Ｇと対応する領域に形成される活性層Ａと、活性層Ａをカバーする第１保護膜ＰＡＳ１上に形成されるデータラインＤＬと、このデータラインＤＬから延びるソース電極Ｓと、ソース電極Ｓと対向するように形成されるドレイン電極Ｄとを備える。このように形成された薄膜トランジスタＴＦＴは、第１保護膜ＰＡＳ１により覆われており、薄膜トランジスタＴＦＴのドレイン電極Ｄの一部分は、第１保護膜ＰＡＳ１に形成されたコンタクトホールＣＨを介して露出するようになっている。
【００８６】
前記第２の実施の形態において、薄膜トランジスタは、ゲート電極がソース／ドレイン電極の下層に形成されるゲートボトム構造の薄膜トランジスタを例に挙げて説明したが、本発明がこれに限定されるものではなく、ゲート電極がソース／ドレイン領域の上部に形成されるゲートトップ構造の薄膜トランジスタも備えると理解しなければならない。ゲートトップ構造の薄膜トランジスタは公知の構成であるから、それについての詳細な説明は省略する。
【００８７】
薄膜トランジスタＴＦＴとデータラインＤＬ上には、これらをカバーする第１保護膜ＰＡＳ１が形成され、ゲートラインＧＬとデータラインＤＬとの交差により画定される第１保護膜ＰＡＳ１上のピクセル領域には、ピクセル電極Ｐｘが形成される。ピクセル電極Ｐｘは、第１保護膜ＰＡＳ１を介して露出した薄膜トランジスタＴＦＴのドレイン電極Ｄと接続される。また、ゲートラインＧＬを間に置いて隣接するピクセル電極Ｐｘ間の第１保護膜ＰＡＳ１上には、ゲートラインＧＬと並べてタッチ駆動電極Ｔｘが形成される。タッチ駆動電極Ｔｘは、ゲートラインＧＬと重なるように形成されることができる。タッチ駆動電極Ｔｘは、データラインＤＬと重なるように形成され、データラインＤＬに沿って延びる遮蔽部ＴｘＳ１を備える。
【００８８】
タッチ駆動電極Ｔｘ上には、タッチ駆動電極Ｔｘと同じ方向（ｘ軸方向）にゲートラインＧＬと並べた方向（ｘ軸方向）に第１及び第２抵抗削減配線（以下、駆動電極抵抗削減配線ＴｘＷとする）が形成されて、タッチ駆動電極Ｔｘ１〜Ｔｘ４；Ｔｘ５〜Ｔｘ８の抵抗を削減する。
【００８９】
ピクセル電極Ｐｘ、タッチ駆動電極Ｔｘ及び駆動電極抵抗削減配線ＴｘＷが形成された第１保護膜ＰＡＳ１の前面上には、第２保護膜ＰＡＳ２が形成され、第２保護膜ＰＡＳ２上には、データラインＤＬと並べた方向（ｙ軸方向）に第３及び第４抵抗削減配線（以下、センシング電極抵抗削減配線ＲｘＷとする）が形成される。センシング電極抵抗削減配線ＲｘＷは、データラインＤＬと重なるように形成されることができる。このセンシング電極抵抗削減配線ＲｘＷは、データラインＤＬと１：１の対応関係で形成されるか、またはデータラインｎ（ｎは、２以上の自然数）個当り一つの関係で形成されることができる。
【００９０】
センシング電極抵抗削減配線ＲｘＷが形成された第２保護膜ＰＡＳ２上には、ピクセル電極Ｐｘと重なりセンシング電極抵抗削減配線ＲｘＷと接触するように共通電極兼用タッチセンシング電極Ｒｘが形成される。各々の共通電極兼用タッチセンシング電極Ｒｘは、単位ピクセル電極（色を表示するために必要な複数のサブピクセル）と１：１に対応して形成されるか、またはタッチセンシング電極１個当りｎ（ｎは、２以上の自然数）個の関係で形成されることができる。また、各々の共通電極兼用タッチセンシング電極Ｒｘは、複数のスリットＳＬを有するように形成される。
【００９１】
図７Ａ及び図７Ｂに示された実施の形態において、第１保護膜ＰＡＳ１上にピクセル電極Ｐｘが形成され、第２保護膜ＰＡＳ２上にはタッチセンシング電極（Ｒｘ）が形成されているが、本発明はこれに限定さされているわけではなく、例えば、第１保護膜ＰＡＳ１上にタッチセンシング電極（Ｒｘ）が形成され、第２保護膜ＰＡＳ２上にはピクセル電極Ｐｘが形成されることもある。この場合、タッチセンシング電極（Ｒｘ）は、スリットを有するように形成され、ピクセル電極Ｐｘは、スリットＳＬを有しないように形成される。
【００９２】
上述した構成では、データラインＤＬと重なる位置に対応してタッチ駆動電極Ｔｘから延びる遮蔽部ＴｘＳ１が形成される。したがって、データラインＤＬとタッチセンシング電極（共通電極）Ｒｘとの間に形成される電界またはデータラインＤＬとピクセル電極Ｐｘとの間に形成される電界がディスプレイ駆動時に液晶の挙動に影響を及ぼさないようになるので、分割された共通電極、すなわちタッチセンシング電極間の空間を介して光が漏れる光漏れ現象を防止できる効果を得ることができる。
【００９３】
以下、図８Ａないし図８Ｄを参照して、一部は、遮蔽部を有し、一部は、遮蔽部を有しないタッチ駆動電極とタッチセンシング電極について説明する。図８Ａないし図８Ｄは、本発明の第１、 第２の実施の形態の領域Ｒ１と、Ｒ２に配置されるタッチ駆動電極またはタッチセンシング電極の多様な例を示す平面図である。
【００９４】
図８Ａに示すように、本発明のタッチセンサ一体型表示装置の領域Ｒ１，Ｒ２に配置されるタッチセンシング電極Ｒｘ１〜Ｒｘ４とタッチ駆動電極Ｔｘ１〜Ｔｘ４は、奇数番目のタッチセンシング電極Ｒｘ１，Ｒｘ３またはタッチ駆動電極Ｔｘ１，Ｔｘ３はそれを中心に両方向にそれぞれ延びる第１及び第２遮蔽部ＲｘＳ１，ＲｘＳ２またはＴｘＳ１，ＴｘＳ２を備え、偶数番目のタッチセンシング電極Ｒｘ２，Ｒｘ４またはタッチ駆動電極Ｔｘ２，Ｔｘ４は、遮蔽部を有しないように形成される。
【００９５】
図８Ｂに示すように、本発明のタッチセンサ一体型表示装置の領域Ｒ１，Ｒ２に配置されるタッチセンシング電極Ｒｘ１〜Ｒｘ４とタッチ駆動電極Ｔｘ１〜Ｔｘ４は、第１番目のタッチセンシング電極Ｒｘ１またはタッチ駆動電極Ｔｘ１は１方向に延びる第１遮蔽部ＲｘＳ１またはＴｘＳ１を具備し、第２番目のタッチセンシング電極Ｒｘ２またはタッチ駆動電極Ｔｘ２はそれを中心に両方向に延びる第１及び第２遮蔽部ＲｘＳ１，ＲｘＳ２またはＴｘＳ１，ＴｘＳ２を具備し、第３番目のタッチセンシング電極Ｒｘ３またはタッチ駆動電極Ｔｘ３は遮蔽部を有しないように形成され、第４番目のタッチセンシング電極Ｒｘ４またはタッチ駆動電極Ｔｘ４は前記１方向に延びる第１遮蔽部ＲｘＳ１またはＴｘＳ１を具備するように形成される。
【００９６】
図８Ｃに示すように、本発明のタッチセンサ一体型表示装置の領域Ｒ１，Ｒ２に配置されるタッチセンシング電極Ｒｘ１〜Ｒｘ４とタッチ駆動電極Ｔｘ１〜Ｔｘ４は、第１番目のタッチセンシング電極Ｒｘ１またはタッチ駆動電極Ｔｘ１はそれを中心にデータラインに沿って両方向に延びる第１及び第２遮蔽部ＲｘＳ１，ＲｘＳ２またはＴｘＳ１，ＴｘＳ２を具備し、第２番目のタッチセンシング電極Ｒｘ２またはタッチ駆動電極Ｔｘ２は第２方向に延びる第２遮蔽部（ＲｘＳ２またはＴｘＳ２）を具備し、第３番目のタッチセンシング電極Ｒｘ３またはタッチ駆動電極Ｔｘ３は遮蔽部を有しないように形成され、第４番目のタッチセンシング電極Ｒｘ４またはタッチ駆動電極Ｔｘ４は前記１方向に延びる第１遮蔽部ＲｘＳ１またはＴｘＳ１を具備するように形成される。
【００９７】
図８Ｄに示すように、本発明のタッチセンサ一体型表示装置の領域Ｒ１，Ｒ２に配置されるタッチセンシング電極Ｒｘ１〜Ｒｘ４とタッチ駆動電極Ｔｘ１〜Ｔｘ４は、すべてのタッチセンシング電極Ｒｘ１〜ＲｘＳ４またはすべてのタッチ駆動電極Ｔｘ１〜Ｔｘ４を接続する第３遮蔽部（ＲｘＳｃまたはＴｘＳｃ）を有するように形成され、第１番目のタッチセンシング電極Ｒｘ１またはタッチ駆動電極Ｔｘ１は第１方向に延びる第１遮蔽部ＲｘＳ１またはＴｘＳ１を具備するように形成される。
【００９８】
図８Ａないし図８Ｄの例から分かるように、分割された共通電極間の空間には、それに対応する多様な方式で遮蔽部が形成されることができる。したがって、本発明が図８Ａないし図８Ｄに例示したものにより制限されるものではなく、他の組み合わせもまた可能であると理解しなければならない。
【００９９】
以上説明した内容を通して当業者ならば本発明の技術思想から逸脱しない範囲で多様な変更及び修正が可能であることが分かるはずである。例えば、本発明の第１及び第２の実施の形態において、ゲートラインを間に置いて互いに隣接して形成されるピクセル電極の間に形成されるタッチ駆動電極またはタッチセンシング電極が抵抗削減配線を含むと説明したが、これらのタッチ駆動電極またはタッチセンシング電極がＩＴＯ、ＩＺＯ、ＧＺＯのように比抵抗が高い透明金属の場合においてのみ抵抗削減配線が必要となり、金属物質から形成される場合には、抵抗削減配線を必要としない。この場合、これらのタッチ駆動電極またはタッチセンシング電極は、直接ルーチング配線に接続される。また、共通電極兼用タッチセンシング電極または共通電極タッチセンシング電極が単位ピクセルと１：１の関係または１：ｎ（ｎは、２以上の自然数）の関係で形成されると説明したが、単位ピクセルと必ず対応しなければならないことではなく、２以上のサブピクセルに対応して形成されることもできる。
【０１００】
従って、本発明の技術的範囲は、発明の詳細な説明に記載された内容に限定されるものではなく、特許請求の範囲により定められなければならない。
【図１】
2015082112.tif 000003
【図２】
2015082112.tif 000004
【図３】
2015082112.tif 000005
【図４Ａ】
2015082112.tif 000006
【図４Ｂ】
2015082112.tif 000007
【図５】
2015082112.tif 000008
【図６】
2015082112.tif 000009
【図７Ａ】
2015082112.tif 000010
【図７Ｂ】
2015082112.tif 000011
【図８Ａ】
2015082112.tif 000012
【図８Ｂ】
2015082112.tif 000013
【図８Ｃ】
2015082112.tif 000014
【図８Ｄ】
2015082112.tif 000015